(57)【特許請求の範囲】
【請求項１】
折半屋根の山部と谷部との間の傾斜部の表面に吸着された磁石と、前記折半屋根上に載置された植生用部材若しくは太陽光パネルと、前記磁石と前記植生用部材若しくは前記太陽光パネルとを連結する連結部材であるワイヤと、を備えたことを特徴とする折半屋根支持構造。
【発明の詳細な説明】
【技術分野】
【０００１】
本発明は、山部と谷部とが所定間隔で形成された折半屋根上に緑化構造体や太陽光発電システムを構築する技術に関する。
【背景技術】
【０００２】
折半屋根を緑化する技術については、従来、様々な方式が提案されているが、本願発明と関連するものとして、例えば、特許文献１記載の折半屋根支持構造がある。この折半屋根支持構造は、折半屋根の山形部の上に嵩上げ材として敷設された発泡樹脂製板上に、緑化基盤材の取り付け孔のＸ方向ピッチと同じピッチでスタッドボルトが立設された第１の固定用治具を置き、両端に長孔を備えた第２の固定用治具の一端を山形部に立設した固定ボルトに係合させ、他端を第１の固定用治具に取り付けて固定した後、固定した第１の固定用治具スタッドボルトを用いて緑化基盤材を折半屋根の固定し、その上に植生マットを配置するというものである。
【先行技術文献】
【特許文献】
【０００３】
【特許文献１】特開２００６−２７４７５９号公報
【発明の概要】
【発明が解決しようとする課題】
【０００４】
特許文献１に記載された折半屋根支持構造は、多くの資材で形成された極めて複雑な構造であるため、施工には多大な労力と時間を要する。また、折半屋根の山形部に開設された孔に挿通された固定ボルトなどを利用して緑化基盤材を固定する方式であるため、孔部分のシールが不完全であると、施工後に雨漏りや浸水などが発生することがある。
【０００５】
本発明が解決しようとする課題は、簡素な構造で、施工が容易であり、耐久性にも優れた折半屋根支持構造を提供することにある。
【課題を解決するための手段】
【０００８】
本発明の折半屋根支持構造は、折半屋根の山部と谷部との間の傾斜部の表面に吸着された磁石と、前記折半屋根上に載置された植生用部材若しくは太陽光パネルと、前記磁石と前記植生用部材若しくは前記太陽光パネルとを連結する連結部材であるワイヤと、を備えたことを特徴とする。
【０００９】
このような構成とすれば、折半屋根に孔を開設したり、ボルト・ナットなどの締結部材を使用したりすることなく、容易に折半屋根上に緑化構造体を構築したり、太陽光パネルを設置したりすることができる。本発明では、植生用部材や太陽光パネルが折半屋根上に載置されるので、比較的重量が大きな植生用部材や太陽光パネルを用いることもできる。
【発明の効果】
【００１２】
本発明により、簡素な構造で、施工が容易であり、耐久性にも優れた折半屋根支持構造を提供することができる。
【図面の簡単な説明】
【００１３】
【図１】本発明の参考形態である折半屋根支持構造を示す正面図である。
【図２】本発明の実施形態である折半屋根支持構造を示す正面図である。
【図３】本発明の参考形態である折半屋根支持構造を示す断面図である。
【図４】図３のＡ−Ａ線における断面図である。
【図５】図３に示す折半屋根支持構造の施工過程を示す正面図である。
【発明を実施するための形態】
【００１４】
図１に示す折半屋根支持構造１０は、折半屋根１１の複数の山部１１ｔ上に吸着された磁石１２と、それぞれの磁石１２に立設された支柱１３と、支柱１３によって保持された植生用部材１４と、を備え、植生用部材１４内に収容された培土（図示せず）において植物Ｐが育成されている。
【００１５】
折半屋根支持構造１０においては、磁石１２の吸着力で植生用部材１４が折半屋根１１上に固定することができるので、ボルト・ナットなどの締結部材が不要であり、折半屋根１１に孔を開設する必要もないので、簡素な構造となり、施工も容易であり、耐久性にも優れている。また、磁石１２は折半屋根１１に着脱可能であるため、植生用部材１４を移動させたり、撤収したりする作業も容易に行うことができる。
【００１６】
なお、折半屋根支持構造１０においては、磁石１２の吸着力で植生用部材１４を折半屋根１１上に固定しているが、植生用部材１４の代わりに太陽光パネル（図示せず）を使用すれば、折半屋根１１上に太陽光発電システムを構築することもできる。
【００１７】
図２に示す折半屋根支持構造２０は、折半屋根２１の山部２１ｔと谷部２１ｖとの間の傾斜部２１の表面に吸着された磁石２２と、折半屋根２１上に載置された植生用部材２４と、磁石２２と植生用部材２４とを連結する連結部材２５と、を備えている。植生用部材２４は、折半屋根２１の山部２１ｔ上に立設された複数の支柱２３によって保持され、植生用部材２４内に収容された培土（図示せず）において植物Ｐが育成されている。連結部材２５としてワイヤを使用しているが、これに限定するものではない。
【００１８】
折半屋根支持構造２０においては、支柱２３を介して植生用部材２４を折半屋根２１上に載置しているため、植生用部材２４の重量が磁石２２に付加されない。このため、植生用部材２４の重量によって磁石２２が損傷することがなく、耐久性に優れている。
【００１９】
なお、折半屋根支持構造２０においては、植生用部材２４の代わりに太陽光パネル（図示せず）を使用すれば、折半屋根２１上に太陽光発電システムを構築することもできる。
【００２０】
図３に示す折半屋根支持構造３０は、折半屋根３１の山部３１ｔ及び谷部３１ｖに沿った状態で折半屋根３１上に敷設された植生用部材３４と、植生用部材３４を折半屋根３１に固定するため植生用部材３４と折半屋根３１との間に介在させた磁石３２と、を備えている。植生用部材３４は、複数の山部３４ｔ及び谷部３４ｖを有し、谷部３４ｖに収容された培土Ｓにおいて植物Ｐが育成されている。
【００２１】
図４に示すように、植生用部材３４の谷部３４ｖには、その長手方向に沿って複数の保水容器３５が配置され、それぞれの保水容器３５の上面を覆うように保水マット３６が配置され、これらを埋めるように培土Ｓが収容されている。保水容器３５の内部は、谷部３４ｖを横断する方向に形成された複数の隔壁３５ｗで複数の領域に区画されている。
【００２２】
このような構成とすることにより、傾斜した折半屋根３１上において培土Ｓの表面を水平に保つことができる。また、培土Ｓに降り注いだ雨水などは、培土Ｓ中に浸透して保水マット３６に保持されたり、保水容器３５内に貯留されたりするので、散水の手間を省くことができる。
【００２３】
図５に示すように、折半屋根支持構造３０を構成する植生用部材３４は、折半屋根３１の山部３１ｔ及び谷部３１ｖと同じ位相で形成された山部３４ｔ及び谷部３４ｖを有しているため、図３に示すように、植生用部材３４の山部３４ｔ及び谷部３４ｖが折半屋根３１の山部３１ｔ及び谷部３１ｖに沿った状態とすることにより、折半屋根３１と一体化した緑化構造３０を構築することができる。このため、地震や風雨などによって損傷され難く、耐久性も優れている。
【００２４】
また、図５に示すように、下面側に予め磁石３２を吸着させた植生用部材３４を折半屋根３１上に敷設すれば、磁石３２の吸着力により、植生用部材３４が折半屋根３１上に固定されるため、施工も容易である。
【００２５】
なお、折半屋根支持構造３０においては、磁石１２の吸着力で植生用部材３４を折半屋根３１上に固定しているが、植生用部材３４の代わりに同形状の太陽光パネル（図示せず）を敷設すれば、折半屋根３１上に太陽光発電システムを構築することもできる。
【産業上の利用可能性】
【００２６】
本発明の折半屋根支持構造は、ガソリンスタンド、工場、カーポートあるいは車庫などに使用されている折半屋根上に緑化構造体や太陽光発発電システムを構築する手段として広く利用することができる。
【符号の説明】
【００２７】
１０，２０，３０  折半屋根支持構造
１１，２１，３１  折半屋根
１１ｔ，２１ｔ，３１ｔ，３４ｔ  山部
１１ｖ，２１ｖ，３１ｖ，３４ｖ  谷部
１２，２２，３２  磁石
１３，２３  支柱
１４，２４，３４  植生用部材
２１ｓ  傾斜部
２５  連結部材
３５  保水容器
３５ｗ  隔壁
３６  保水マット
Ｐ  植物
Ｓ  培土
【図１】
0005623257.tif 000002
【図２】
0005623257.tif 000003
【図３】
0005623257.tif 000004
【図４】
0005623257.tif 000005
【図５】
0005623257.tif 000006